(57)【要約】【課題】給湯機を浴槽よりも高所に配置する場合にも、給湯機の各種動作を良好に行うことができる給湯機を提供する。【解決手段】風呂注湯流路を介して浴槽１００に注湯する際に作動される注湯電磁弁５と、風呂注湯流路の注湯電磁弁５より下流に配置され、風呂注湯流路を開閉可能な遮断弁６と、遮断弁６より下流に配置され、浴槽１００の水位を検出する水位センサ１１と、を備える。また、風呂注湯流路を介して浴槽１００に注湯する注湯電磁弁５と、風呂注湯流路と一部が重複する風呂循環回路内の湯を循環させる風呂循環ポンプ７と、風呂注湯流路と風呂循環回路が重複する流路に配置され、風呂注湯流路を開閉可能な遮断弁６と、を備える。【選択図】図１
2014013123.tif 000002
【特許請求の範囲】
【請求項１】
風呂注湯流路を介して浴槽に注湯する際に作動される風呂注湯手段と、
前記風呂注湯流路の前記風呂注湯手段より下流に配置され、前記風呂注湯流路を開閉可能な開閉手段と、
前記開閉手段より下流に配置され、前記浴槽の水位を検出する水位検出手段と、
を備えることを特徴とする給湯機。
【請求項２】
風呂注湯流路を介して浴槽に注湯する際に作動される風呂注湯手段と、
前記風呂注湯流路と一部が重複する風呂循環回路内の湯を循環させる風呂循環手段と、
前記風呂注湯流路と前記風呂循環回路が重複する流路に配置され、前記風呂注湯流路を開閉可能な開閉手段と、
を備えることを特徴とする給湯機。
【請求項３】
前記開閉手段より前記風呂注湯流路の下流に配置され、前記浴槽の水位を検出する水位検出手段をさらに備える
ことを特徴とする請求項２に記載の給湯機。
【請求項４】
前記風呂循環回路内の湯を加熱する循環加熱手段を更に備え、
前記水位検出手段と前記循環加熱手段とは、前記開閉手段に対して異なる側に配置される
ことを特徴とする請求項３に記載の給湯機。
【請求項５】
前記風呂注湯手段は、逆流防止機能を有する電磁弁であり、
前記開閉手段は、逆流防止機能を有さない開閉弁である
ことを特徴とする請求項１乃至４のいずれか１項に記載の給湯機。
【発明の詳細な説明】
【技術分野】
【０００１】
本発明は、給湯機に関する。
【背景技術】
【０００２】
給湯機は、各種端末（例えば、浴槽端末や給湯端末）に湯水を供給する装置である。また、給湯機には、ポンプにより浴槽内の湯水を浴槽から給湯機に吸い上げて、吸い上げた湯水を給湯機で加熱し、加熱した湯水を給湯機から浴槽へと戻す機能（追い焚き機能）を備えているものもある。
【０００３】
ところで、給湯機を浴槽よりも高所に配置すると、配管内の湯水が浴槽へと抜けてしまい、浴槽内の湯水をポンプで吸い上げることができなくなる。
【０００４】
これに対し、特許文献１には、循環路に取付けられて湯水の循環を感知する水流スイッチを備え、コントローラは水流スイッチに接続され循環ポンプの回転の回転数（回転速度）を適正回転数よりも上昇させても水流スイッチが湯水の循環を感知しなかった場合に循環ポンプの回転を停止させ循環ポンプへの呼水を指示することを特徴とする風呂装置が開示されている。このような構成により、循環ポンプの回転の回転数を適正回転数よりも上昇させても循環路に湯水が循環していない場合に循環ポンプの内部の湯水が抜けた状態の空運転と判定して循環ポンプの回転を停止させ循環ポンプへの呼水を指示することで、回転が停止された循環ポンプに湯水が呼水として注入されることになる。
【先行技術文献】
【特許文献】
【０００５】
【特許文献１】特開２０１０−７１５１１号公報
【発明の概要】
【発明が解決しようとする課題】
【０００６】
しかし、給湯機を浴槽よりも高所に配置した場合において、浴槽と給湯機との高低差が一定以上となると、呼水をしても浴槽の湯水を吸い上げることができず、給湯機の各種動作に支障をきたすおそれがある。
【０００７】
そこで、本発明は、給湯機を浴槽よりも高所に配置する場合にも、給湯機の各種動作を良好に行うことができる給湯機を提供することを課題とする。
【課題を解決するための手段】
【０００８】
このような課題を解決するために、本発明は、風呂注湯流路を介して浴槽に注湯する際に作動される風呂注湯手段と、前記風呂注湯流路の前記風呂注湯手段より下流に配置され、前記風呂注湯流路を開閉可能な開閉手段と、前記開閉手段より下流に配置され、前記浴槽の水位を検出する水位検出手段と、を備えることを特徴とする給湯機である。
【０００９】
また、本発明は、風呂注湯流路を介して浴槽に注湯する際に作動される風呂注湯手段と、前記風呂注湯流路と一部が重複する風呂循環回路内の湯を循環させる風呂循環手段と、前記風呂注湯流路と前記風呂循環回路が重複する流路に配置され、前記風呂注湯流路を開閉可能な開閉手段と、を備えることを特徴とする給湯機である。
【発明の効果】
【００１０】
本発明によれば、給湯機を浴槽よりも高所に配置する場合にも、給湯機の各種動作を良好に行うことができる給湯機を提供することができる。
【図面の簡単な説明】
【００１１】
【図１】本実施形態に係る給湯機の構成図である。
【図２】試運転（風呂初期設定）の処理を示すフローチャートである。
【図３】湯張り運転の処理を示すフローチャートである。
【図４】追い焚き運転の処理を示すフローチャートである。
【図５】注湯制御の処理を示すフローチャートである。
【図６】給湯優先判定の処理を示すフローチャートである。
【図７】流量制御の処理を示すフローチャートである。
【図８】浴槽内残水確認の処理を示すフローチャートである。
【発明を実施するための形態】
【００１２】
以下、本発明を実施するための形態（以下「実施形態」という）について、適宜図面を参照しながら詳細に説明する。なお、各図において、共通する部分には同一の符号を付し重複した説明を省略する。
【００１３】
≪給湯機Ｓ≫
まず、本実施形態に係る給湯機Ｓの構成について、図１を用いて説明する。図１は、本実施形態に係る給湯機Ｓの構成図である。
図１に示すように、本実施形態に係る給湯機Ｓは、タンク１と、熱交換器２と、ポンプ３と、流量調整弁４と、注湯電磁弁５と、遮断弁６と、風呂循環ポンプ７と、三方弁８と、追い焚き熱交換器９と、流量センサ１０と、水位センサ１１と、温度センサ１２と、注湯流量センサ１３と、給湯流量センサ１４と、給湯温度センサ１５と、制御装置５０と、を備え、浴槽１００に配置された浴槽端末１１０および給湯端末１２０に、湯水を供給することができるようになっている。また、浴槽１００内の湯水（浴槽水）を給湯機Ｓに吸い込んで、追い焚き熱交換器９により加熱し、加熱した湯水を浴槽１００に戻すことができるようになっている。なお、タンク１内の熱媒体を沸き上げる加熱手段は省略して図示している。
【００１４】
給湯機Ｓは、具体的には、配管３１、熱交換器２の二次側流路、配管３２，３２ｂからなる給湯流路が形成され、水を加熱して給湯端末１２０に給湯することができるようになっている。
また、配管３１、熱交換器２の二次側流路、配管３２，３２ａ、流量調整弁４、配管３３、注湯電磁弁５、配管３４，３５ａ、遮断弁６、配管３６からなる風呂注湯流路が形成され、水を加熱して浴槽端末１１０に給湯することができるようになっている。
また、浴槽端末１１０、配管３６、遮断弁６、配管３５ａ，３５ｂ、風呂循環ポンプ７、配管３７、三方弁８、配管３８、追い焚き熱交換器９、配管４０からなる風呂循環回路が形成され、浴槽１００と追い焚き熱交換器９との間で浴槽水を循環させることができるようになっている。
【００１５】
次に、給湯機Ｓの各部について説明する。
タンク１は、高温の熱媒体（例えば、水）が貯留されるようになっている。なお、図１では省略するが、給湯機Ｓは、タンク１の内部の熱媒体を加熱する加熱手段（図示せず）を備えている。例えば、加熱手段はヒートポンプであり、タンク１の下部に接続された図示しない配管からタンク１の内部の熱媒体（水）を取り込んで加熱し、加熱された高温の熱媒体（湯）をタンク１の上部から戻すようになっている。これにより、タンク１の内部には、高温（例えば、７０℃〜９０℃）の熱媒体が貯留されるようになっている。
【００１６】
また、タンク１には、タンク１の上部に接続される配管２１と、熱交換器２の一次側流路と、配管２２と、ポンプ３と、タンク１の下部に接続される配管２３と、からなる熱媒体循環路が形成され、ポンプ３を動作させることにより、熱媒体をタンク１と熱交換器２の一次側流路との間で循環させることができるようになっている。
【００１７】
配管３１は、上流端が給水源（例えば、水道）に接続され、下流端は熱交換器２の二次側流路の入口に接続されている。
【００１８】
熱交換器２は、一次側流路の熱媒体と二次側流路の水とで、熱交換することができるようになっている。即ち、熱交換器２は、二次側流路の入口に接続された配管３１から流入した水を加熱して高温の湯とし、二次側流路の出口に接続された配管３２に流出させることができるようになっている。
【００１９】
なお、制御装置５０は、ポンプ３の動作（回転速度）を制御することにより、二次側流路の出口から流出する湯の温度を制御することができるようになっている。即ち、熱交換器２、ポンプ３および制御装置５０で、端末（浴槽端末１１０、給湯端末１２０）に給湯する湯の温度を制御する温度制御手段として機能するようになっている。
【００２０】
配管３２は、浴槽端末１１０に給湯する配管３２ａと給湯端末１２０に給湯する配管３２ｂに分岐し、配管３２ａは流量調整弁４と接続され、配管３２ｂは給湯端末１２０と接続されている。
【００２１】
流量調整弁４は、浴槽端末１１０に供給される湯の流量を調整するものであり、一端が配管３２ａと接続され、他端が配管３３と接続されている。
流量調整弁４は、制御装置５０により、その調整弁の開度（流量）を制御されるようになっている。即ち、流量調整弁４および制御装置５０で、浴槽端末１１０に注湯する湯の流量を制御する流量制御手段として機能するようになっている。
【００２２】
配管３３は、一端が流量調整弁４に接続され、他端が注湯電磁弁５に接続されている。
【００２３】
注湯電磁弁５は、電磁作動式の遮断弁であり、一端が配管３３と接続され、他端が配管３４と接続されている。
注湯電磁弁５は、制御装置５０により、開閉制御されるようになっている。注湯電磁弁５を閉弁することにより、浴槽端末１１０への給湯を遮断する。即ち、注湯電磁弁５および制御装置５０で、浴槽端末１１０に注湯する風呂注湯手段として機能するようになっている。
【００２４】
なお、注湯電磁弁５には、浴槽水が給湯端末１２０に給湯する回路（配管３２，３２ｂ）に逆流しないように、逆流防止機能（図示せず）を備えている。また、注湯電磁弁５は、非通電時に閉弁するような構造（常時閉型）の電磁弁である。
【００２５】
配管３４は、分岐点３５で配管３５ａと配管３５ｂに分岐し、配管３５ａは遮断弁６と接続され、配管３５ｂは風呂循環ポンプ７と接続されている。
【００２６】
遮断弁６は、開閉弁であり、一端が配管３５ａと接続され、他端が配管３６と接続されている。即ち、遮断弁６は、注湯電磁弁５の下流で、分岐点３５と浴槽端末１１０とを接続する配管３５ａ，３６の間に配置させる。
遮断弁６は、制御装置５０により、開閉制御されるようになっている。遮断弁６を開弁することにより、浴槽１００（浴槽端末１１０）と注湯電磁弁５とを接続する流路を遮断するとともに、浴槽１００（浴槽端末１１０）と追い焚き熱交換器９とを接続する往復路の一方を遮断する。即ち、遮断弁６および制御装置５０で、風呂循環回路開閉手段として機能するようになっている。
【００２７】
なお、遮断弁６は、注湯電磁弁５と異なり、逆流防止機能（図示せず）を備えていない。また、遮断弁６は、非通電時に閉弁するような構造の電磁弁である必要はない。遮断弁６としては、例えば、モータにより動作するボールバルブ等を用いることができる。
【００２８】
配管３６は、一端が遮断弁６に接続され、他端が浴槽端末１１０に接続されている。
【００２９】
風呂循環ポンプ７は、後述する追い焚き運転時や浴槽内残水確認時に動作するものであり、浴槽１００に張られた浴槽水を追い焚き熱交換器９との間で循環させる機能を有している。ここで、風呂循環ポンプ７は、分岐点３５と追い焚き熱交換器９とを接続する配管３５ｂ，３７の間に配置させる。
【００３０】
ちなみに、風呂循環ポンプ７は、遮断弁６の近くに配設する。これは、後述するように配管３６内は残水で満たされており、遮断弁６を開弁したときに、風呂循環ポンプ７が配管３６内の残水を配管３７の側に循環しやすくするためである。風呂循環ポンプ７と遮断弁６とを接続する配管の長さ（配管３５ａ，３５ｂの長さ）は、例えば、２ｍ以内となるようにすることが望ましい。なお、この長さは、風呂循環ポンプ７の能力に応じて設定する。
【００３１】
風呂循環ポンプ７は、制御装置５０により、動作・停止や動作時の回転速度が制御されるようになっている。即ち、風呂循環ポンプ７および制御装置５０で、浴槽１００と追い焚き熱交換器９との間で浴槽水を循環させる風呂循環手段として機能するようになっている。
【００３２】
配管３７は、一端が風呂循環ポンプ７の吐出口に接続され、他端が三方弁８に接続されている。
【００３３】
三方弁８は、追い焚き熱交換器９に流入する浴槽水の流量を調整するものであり、入口側に配管３７が接続され、第１の出口側に配管３８が接続され、第２の出口側に配管３９が接続されている。
三方弁８は、制御装置５０により、その分流比を制御されるようになっている。即ち、三方弁８および制御装置５０で、追い焚き熱交換器９に流入する浴槽水の流量を制御する分流比制御手段として機能するようになっている。
【００３４】
配管３７は、一端が三方弁８の第１の出口側に接続され、他端が追い焚き熱交換器９の入口側に接続されている。
【００３５】
追い焚き熱交換器９は、タンク１の内部上側に配設され、タンク１内の高温の熱媒体と追い焚き熱交換器９内を流れる浴槽水とで、熱交換することができるようになっている。即ち、追い焚き熱交換器９は、配管３８から流入した浴槽水を加熱して、配管４０に流出させることができるようになっている。
【００３６】
配管３９は、一端が三方弁８の第２の出口側に接続され、他端が配管４０に合流するように接続されている。
配管４０は、一端が追い焚き熱交換器９の出口側に接続され、他端が浴槽端末１１０に接続されている。
【００３７】
配管３６には、前記のとおり浴槽水の循環を検知するための流量センサ１０が配設されている。また、配管３６には、前記のとおり循環する浴槽水の温度を検知するための温度センサ１２が配設されている。流量センサ１０および温度センサ１２の検出値は、制御装置５０に出力されるようになっている。なお、流量センサ１０および温度センサ１２の配設位置は、これに限られるものではなく、例えば、配管３７や配管４０等に設けてもよい。
【００３８】
また、配管３６には、前記のとおり浴槽１００の水位を検知する水位センサ１１が配設されている。水位センサ１１の検出値は、制御装置５０に出力されるようになっている。
なお、水位センサ１１は、圧力により水位を検出するセンサであり、浴槽１００から水位センサ１１が配設された位置よりも上まで水があることにより、浴槽１００の水位を検出することができるようになっている。換言すれば、配管３６内の残水が落水すると、水位センサ１１は浴槽１００の水位を検出することができなくなる。
【００３９】
ここで、水位センサ１１は、遮断弁６から充分に距離を設けた下流に設置する。例えば、遮断弁６から約５０ｃｍ下流に水位センサ１１を配設する。これは、遮断弁６が徐々に閉じる際、風呂注湯流量が減少して配管３６内に残った空気が遮断弁６まで逆流したとき、逆流した空気が水位センサ１１より上流の配管３６内で溜るようにして、浴槽１００から水位センサ１１が配設された位置よりも上まで水がある状態とするためである。また、水位センサ１１を配管３６に配設することにより、配管４０に配設する場合と比較して、注湯時により確実に水位センサ１１を水（湯）で満たすことができる。また、水位センサ１１を配管３６に配設することで、遮断弁６を閉弁することにより、追い焚き熱交換器９と水位センサ１１とを隔てることができるようになっている。
【００４０】
配管３４（分岐点３５と注湯電磁弁５との間）には、風呂注湯手段（注湯電磁弁５）から浴槽１００へ注湯される湯の流量を検出するための注湯流量センサ１３が配設されている。注湯流量センサ１３の検出値は、制御装置５０に出力されるようになっている。
【００４１】
配管３２ｂには、給湯端末１２０へ給湯される湯の流量を検出するための給湯流量センサ１４が配設されている。また、配管３２ｂには、給湯端末１２０へ給湯される湯の温度を検知するための給湯温度センサ１５が配設されている。給湯流量センサ１４および給湯温度センサ１５の検出値は、制御装置５０に出力されるようになっている。
【００４２】
制御装置５０は、ポンプ３、流量調整弁４、注湯電磁弁５、遮断弁６、風呂循環ポンプ７、および、三方弁８を制御することにより、給湯機Ｓ全体を制御することができるようになっている。また、制御装置５０には、流量センサ１０、水位センサ１１、温度センサ１２、注湯流量センサ１３、給湯流量センサ１４、および、給湯温度センサ１５の検出値が入力されるようになっている。
【００４３】
≪作用・効果≫
次に、本実施形態に係る給湯機Ｓの作用および効果について説明する。
【００４４】
まず、本実施形態に係る給湯機Ｓの説明の前に、従来の給湯機における配管内の湯水の抜け（落水）について、説明する。
例えば、給湯機Ｓを屋上に設置し１階に浴槽１００を設置する場合のように、給湯機Ｓよりも下方に浴槽１００を設置する場合、給湯機Ｓと浴槽１００とをつなぐ風呂循環回路の配管（配管３６，３５ａ，３５ｂ，３７，３８，３９，４０；以下、風呂循環配管と称する。）には、高低差により負圧が生じる。このとき、風呂循環配管内に生じた負圧により、風呂循環配管（特に、配管３６）内の残水は浴槽１００に落水する。
【００４５】
例えば、給湯機Ｓよりも下方に浴槽端末１１０を設置し、１つの温度制御手段（熱交換器２、ポンプ３）で浴槽端末１１０および給湯端末１２０に給湯する構成において、浴槽端末１１０への風呂注湯要求と給湯端末１２０への給湯要求が同時に発生した場合、給湯端末１２０への給湯を優先するため、給湯端末１２０への給湯の間、浴槽端末１１０への風呂注湯を中断する。このとき、注湯電磁弁５を閉じると、給湯機Ｓと浴槽端末１１０をつなぐ風呂循環配管内には負圧が生じる。風呂循環配管内に生じた負圧により、風呂循環配管内の残水は浴槽１００に落水する。
【００４６】
また、浴槽１００に所定の湯を出湯する注湯電磁弁５は、浴槽水が給湯端末１２０に給湯する回路（配管３２，３２ｂ）に逆流しないように、逆流防止機能（図示せず）を備え、その構造から配管３４内に生じた負圧により外部から吸気し、配管３４，３５ａ，３６内の残水は浴槽１００に落水する。このため、配管３４，３５ａ，３６内には残水がなくなり配管３４，３５ａ，３６内は空になる。
【００４７】
また、タンク１内に追い焚き熱交換器９が配設されている構成において、風呂循環配管と接続された追い焚き熱交換器９内にも負圧が生じるため、負圧により追い焚き熱交換器９内の水の飽和温度（沸点）が低下する。
【００４８】
ここで、水の圧力と飽和温度の関係を（表１）に示す。
【００４９】
【表１】
2014013123.tif 000003
【００５０】
例えば、追い焚き熱交換器９よりも約７ｍ下方に浴槽１００を設置した場合、追い焚き熱交換器９内に生じる圧力は約３０［ｋＰａ］となる。したがって、水の飽和温度（沸点）は約６９［℃］になる。このため、タンク１内の熱媒体の温度（例えば、７０℃〜９０℃）が追い焚き熱交換器９の水の飽和温度（例えば、約６９［℃］）より高い場合、追い焚き熱交換器９の水は飽和温度に達して沸騰する。このように、追い焚き熱交換器９の中の水が沸騰することにより、追い焚き熱交換器９の内部にエア（蒸気）溜りが生じる。
【００５１】
このように、風呂循環配管内の残水が空であったり、エア溜りが発生したりすると、従来の給湯機においては、配管３４，３５ａ，３６内の残水が落水して、風呂循環ポンプ７で浴槽水を循環させることができなくなったり、正常に浴槽１００の水位を計測することができなくなったりすることにより、給湯機の各種動作に支障をきたすおそれがあった。また、このような課題を解決するために、特許文献１のように呼水をすると、浴槽１００に湯水が供給されることとなり、使用者に違和感をあたえるおそれがあった。
【００５２】
これに対し、本実施形態に係る給湯機Ｓは、前述したように遮断弁６を備えている。
遮断弁６を閉弁することにより、注湯電磁弁５と配管３６とを隔てることができるようになっている。これにより、注湯電磁弁５が負圧により外気を吸気しても、吸気された空気が配管３６内に流入することを防止できるので、配管３６内の残水が浴槽１００に落水することを防止することができる。
【００５３】
また、遮断弁６を閉弁することにより、配管３６と追い焚き熱交換器９とを隔てることができるようになっている。これにより、追い焚き熱交換器９の内部で生じたエア溜りが配管３６まで混入して配管３６内の残水が浴槽１００に落水することを防止することができる。加えて、測定中は遮断弁６を閉弁して、水位センサ１１と追い焚き熱交換器９とを隔てることができるようになっているため、追い焚き熱交換器９の内部にエア溜りが生じて配管内の圧力が変化しても、配管３６はその影響を受けることがなく、水位センサ１１はより適切な水位を検出することができる。
【００５４】
このように、遮断弁６を閉弁することにより、配管３６内の残水が浴槽１００に落水することを防止することができるので、配管３６に配設された水位センサ１１を水で満たすことができ、好適に浴槽１００の水位を検出することができる。
【００５５】
即ち、本実施形態に係る給湯機Ｓは、給湯機Ｓを浴槽１００よりも高所に配置する場合にも、給湯機Ｓの各種動作を良好に行うことができるので、給湯機Ｓと浴槽１００の設置位置の自由度を向上させることができる。
【００５６】
≪給湯機の運転動作≫
次に、本実施形態に係る給湯機Ｓの各種運転の動作について、図２から図８を用いて説明する。
【００５７】
本実施形態に係る給湯機Ｓは、給湯端末１２０に湯水を供給する「給湯運転」、給湯機Ｓの初期設定を行う「試運転（風呂初期設定）」、浴槽１００（浴槽端末１１０）に湯水を供給する「湯張り運転」、浴槽１００内の湯水（浴槽水）を加熱する「追い焚き運転」、浴槽１００内の湯水の設定温度である風呂設定温度と同温度の湯水を浴槽１００に供給する「たし湯運転」、風呂設定温度より高温の湯水を浴槽１００に供給する「さし湯運転」、風呂設定温度より低温の湯水を浴槽１００に供給する「さし水運転」等を行うことができるようになっている。
【００５８】
＜給湯運転＞
まず、給湯運転について説明する。
制御装置５０は、給湯流量センサ１４で流量を検知すると、給湯要求があると判定し、ポンプ３を動作させ、給湯温度センサ１５で検知した温度が給湯設定温度となるように、ポンプ３の回転速度を制御する。
また、制御装置５０は、給湯流量センサ１４で流量の停止を検知すると、給湯要求が終了したと判定し、ポンプ３を停止させる。
【００５９】
＜試運転（風呂初期設定）＞
次に、試運転（風呂初期設定）について、図２のフローチャートを用いて説明する。
ステップＳ２０１において、制御装置５０は、注湯電磁弁５、遮断弁６等を制御して、「注湯制御」を実行し、浴槽１００に所定量注湯する。なお、「注湯制御」の詳細は、図５から図７を用いて後述する。
ちなみに、ステップＳ２０１における注湯は、風呂循環配管（配管３６，３５ａ，３５ｂ，３７，３８，３９，４０）および風呂循環ポンプ７に呼水を行うためのものであり、注湯する所定量もそれに基づいて決定される。
【００６０】
ステップＳ２０２において、制御装置５０は、遮断弁６、風呂循環ポンプ７等を制御して、浴槽１００内に湯水があるか否かを判定するための「浴槽内残水確認」を実行する。なお、「浴槽内残水確認」の詳細は、図８を用いて後述する。
【００６１】
ステップＳ２０３において、制御装置５０は、ステップＳ２０２の結果が「浴槽内残水有り」であるか否かを判定する。ステップＳ２０２の結果が「浴槽内残水有り」である場合（Ｓ２０３・Ｙｅｓ）、制御装置５０の処理はステップＳ２０９に進む。ステップＳ２０２の結果が「浴槽内残水有り」でない場合（Ｓ２０３・Ｎｏ）、制御装置５０の処理はステップＳ２０４に進む。
【００６２】
ステップＳ２０４において、制御装置５０は、注湯電磁弁５、遮断弁６等を制御して、詳細は後述する「注湯制御」を実行し、浴槽１００に所定量注湯する。
【００６３】
ステップＳ２０５において、制御装置５０は、遮断弁６、風呂循環ポンプ７等を制御して、浴槽１００内に湯水があるか否かを判定するための詳細は後述する「浴槽内残水確認」を実行する。
【００６４】
ステップＳ２０６において、制御装置５０は、ステップＳ２０５の結果が「浴槽内残水有り」であるか否かを判定する。ステップＳ２０５の結果が「浴槽内残水有り」である場合（Ｓ２０６・Ｙｅｓ）、制御装置５０の処理はステップＳ２１０に進む。ステップＳ２０５の結果が「浴槽内残水有り」でない場合（Ｓ２０６・Ｎｏ）、制御装置５０の処理はステップＳ２０７に進む。
【００６５】
ステップＳ２０７において、制御装置５０は、リトライカウントが所定のリトライ制限回数に到達したか否かを判定する。所定のリトライ制限回数に到達した場合（Ｓ２０７・Ｙｅｓ）、制御装置５０の処理はステップＳ２０９に進む。所定のリトライ制限回数に到達していない場合（Ｓ２０７・Ｎｏ）、制御装置５０の処理はステップＳ２０８に進み、リトライカウントを＋１（インクリメント）して、ステップＳ２０４に戻る。
そして、残水を検知する（Ｓ２０６・Ｙｅｓ）、または、リトライ制限回数に到達する（Ｓ２０７・Ｙｅｓ）まで、ステップＳ２０４からステップＳ２０８を繰り返す。
なお、リトライカウントは、試運転（風呂初期設定）開始時は０であり、ステップＳ２０８が処理される（即ち、ステップＳ２０４からステップＳ２０８までが処理される）毎に１増える値である。
【００６６】
ステップＳ２０９において、制御装置５０は、試運転（風呂初期設定）を中止する。
なお、ステップＳ２０３において「浴槽内残水有り」である場合（Ｓ２０３・Ｙｅｓ）は、既に浴槽１００内に残水があるため、初期設定ができない場合である。また、ステップＳ２０７において所定のリトライ制限回数に到達した場合（Ｓ２０７・Ｙｅｓ）は、浴槽１００に水が溜められない状態（例えば、栓が抜けている等）であるため、初期設定ができない場合である。
【００６７】
ステップＳ２１０において、制御装置５０は、注湯電磁弁５、遮断弁６等を制御して、詳細は後述する「注湯制御」を実行し、浴槽１００に所定量注湯する。
ステップＳ２１１において、制御装置５０は、水位センサ１１を介して、浴槽１００の水位を検出する。
【００６８】
ステップＳ２１２において、制御装置５０は、注湯電磁弁５、遮断弁６等を制御して、詳細は後述する「注湯制御」を実行し、浴槽１００に所定量注湯する。
ステップＳ２１３において、制御装置５０は、水位センサ１１を介して、浴槽１００の水位を検出する。
【００６９】
ステップＳ２１４において、制御装置５０は、注湯電磁弁５、遮断弁６等を制御して、詳細は後述する「注湯制御」を実行し、浴槽１００に所定量注湯する。
ステップＳ２１５において、制御装置５０は、水位センサ１１を介して、浴槽１００の水位を検出し、試運転（風呂初期設定）を終了する。
【００７０】
このように、試運転（風呂初期設定）は、風呂循環配管（配管３６，３５ａ，３５ｂ，３７，３８，３９，４０）および風呂循環ポンプ７に呼水を行う（Ｓ２０１）とともに、所定量の注湯（Ｓ２１０，Ｓ２１２，Ｓ２１４）と浴槽１００の水位検知（Ｓ２１１，Ｓ２１３，Ｓ２１５）を繰り返すことにより、注湯量と水位との対応マップを作成し、初期設定することができる。
【００７１】
＜湯張り運転＞
次に、湯張り運転について、図３のフローチャートを用いて説明する。
【００７２】
ステップＳ３０１において、制御装置５０は、遮断弁６、風呂循環ポンプ７等を制御して、浴槽１００内に湯水があるか否かを判定するための詳細は後述する「浴槽内残水確認」を実行する。
【００７３】
ステップＳ３０２において、制御装置５０は、ステップＳ３０１の結果が「浴槽内残水有り」であるか否かを判定する。ステップＳ３０１の結果が「浴槽内残水有り」である場合（Ｓ３０２・Ｙｅｓ）、制御装置５０の処理はステップＳ３０８に進む。ステップＳ３０１の結果が「浴槽内残水有り」でない場合（Ｓ３０２・Ｎｏ）、制御装置５０の処理はステップＳ３０３に進む。
【００７４】
ステップＳ３０３において、制御装置５０は、注湯電磁弁５、遮断弁６等を制御して、詳細は後述する「注湯制御」を実行し、浴槽１００に所定量注湯する。
【００７５】
ステップＳ３０４において、制御装置５０は、遮断弁６、風呂循環ポンプ７等を制御して、浴槽１００内に湯水があるか否かを判定するための詳細は後述する「浴槽内残水確認」を実行する。
【００７６】
ステップＳ３０５において、制御装置５０は、ステップＳ３０４の結果が「浴槽内残水有り」であるか否かを判定する。ステップＳ３０４の結果が「浴槽内残水有り」である場合（Ｓ３０５・Ｙｅｓ）、制御装置５０の処理はステップＳ３０８に進む。ステップＳ３０４の結果が「浴槽内残水有り」でない場合（Ｓ３０５・Ｎｏ）、制御装置５０の処理はステップＳ３０６に進む。
【００７７】
ステップＳ３０６において、制御装置５０は、リトライカウントが所定のリトライ制限回数に到達したか否かを判定する。所定のリトライ制限回数に到達した場合（Ｓ３０６・Ｙｅｓ）、制御装置５０の処理はステップＳ３１２に進む。所定のリトライ制限回数に到達していない場合（Ｓ３０６・Ｎｏ）、制御装置５０の処理はステップＳ３０７に進み、リトライカウントを＋１（インクリメント）して、ステップＳ３０３に戻る。
そして、残水を検知する（Ｓ３０５・Ｙｅｓ）、または、リトライ制限回数に到達する（Ｓ３０６・Ｙｅｓ）まで、ステップＳ３０３からステップＳ３０７を繰り返す。
なお、リトライカウントは、湯張り運転開始時は０であり、ステップＳ３０７が処理される（即ち、ステップＳ３０３からステップＳ３０７までが処理される）毎に１増える値である。
【００７８】
ステップＳ３０８において、制御装置５０は、水位センサ１１を介して、浴槽１００の水位を検出する。
【００７９】
ステップＳ３０９において、制御装置５０は、注湯電磁弁５、遮断弁６等を制御して、詳細は後述する「注湯制御」を実行し、浴槽１００に所定量注湯する。ちなみに、ステップＳ３０９で注湯する所定量は、ステップＳ３０８で検出した水位と、浴槽１００の目標水位と、注湯量と水位との対応マップと、に基づいて、決定される。
【００８０】
ステップＳ３１０において、制御装置５０は、遮断弁６、風呂循環ポンプ７等を制御して、浴槽１００内に湯水があるか否かを判定するための詳細は後述する「浴槽内残水確認」を実行する。
【００８１】
ステップＳ３１１において、制御装置５０は、ステップＳ３１０の結果が「浴槽内残水有り」であるか否かを判定する。ステップＳ３１０の結果が「浴槽内残水有り」である場合（Ｓ３１１・Ｙｅｓ）、制御装置５０は湯張り運転を終了する。ステップＳ３０１の結果が「浴槽内残水有り」でない場合（Ｓ３１１・Ｎｏ）、制御装置５０の処理はステップＳ３１２に進む。
【００８２】
ステップＳ３１２において、制御装置５０は、湯張り運転を中止する。
なお、ステップＳ３０６において所定のリトライ制限回数に到達した場合（Ｓ３０６・Ｙｅｓ）は、浴槽１００に水が溜められない状態（例えば、栓が抜けている等）であるため、初期設定ができない場合である。また、ステップＳ３１１において「浴槽内残水有り」でない場合（Ｓ３１１・Ｎｏ）は、湯張り中になんらかの異常が発生した場合（例えば、湯張り中に栓が抜かれた等）である。
【００８３】
＜追い焚き運転＞
次に、追い焚き運転について図４のフローチャートを用いて説明する。
【００８４】
ステップＳ４０１において、制御装置５０は、遮断弁６、風呂循環ポンプ７等を制御して、浴槽１００内に湯水があるか否かを判定するための詳細は後述する「浴槽内残水確認」を実行する。ちなみに、ステップＳ４０１において、後述する図８に示すように、遮断弁６は開弁し、風呂循環ポンプ７は動作（ＯＮ）している状態となっている。
【００８５】
ステップＳ４０２において、制御装置５０は、ステップＳ４０１の結果が「浴槽内残水有り」であるか否かを判定する。ステップＳ４０１の結果が「浴槽内残水有り」である場合（Ｓ４０２・Ｙｅｓ）、制御装置５０の処理はステップＳ４０３に進む。ステップＳ４０１の結果が「浴槽内残水有り」でない場合（Ｓ４０２・Ｎｏ）、制御装置５０の処理はステップＳ４０５に進む。
【００８６】
ステップＳ４０３において、制御装置５０は、風呂加熱制御を実施する。具体的には、
制御装置５０は、遮断弁６を開弁し、風呂循環ポンプ７を動作させる状態を継続して、浴槽１００と追い焚き熱交換器９との間で浴槽水を循環させることにより、浴槽水を加熱する。制御装置５０は、三方弁８の分流比を制御することにより、配管４０を経由して浴槽端末１１０から浴槽１００内に吐出される浴槽水の温度を制御することができるようになっている。
【００８７】
ステップＳ４０４において、制御装置５０は、温度センサ１２で検出した浴槽水の温度（浴槽温度）が、所定温度（追い焚き設定温度）以上であるか否かを判定する。浴槽温度が所定の温度以上である場合（Ｓ４０４・Ｙｅｓ）、制御装置５０の処理はステップＳ４０６に進む。浴槽温度が所定の温度以上でない場合（Ｓ４０４・Ｎｏ）、制御装置５０の処理はステップＳ４０３に戻り、浴槽温度が所定の温度以上となる（Ｓ４０４・Ｙｅｓ）まで、ステップＳ４０３からステップＳ４０４を繰り返す。
【００８８】
ステップＳ４０５において、制御装置５０は、追い焚き運転を中止する。これにより、いわゆる空焚きを防止する。そして、制御装置５０の処理はステップＳ４０６に進む。
【００８９】
ステップＳ４０６において、制御装置５０は、遮断弁６を閉弁する。
ステップＳ４０７において、制御装置５０は、風呂循環ポンプ７を停止（ＯＦＦ）させ、追い焚き運転を終了する。
【００９０】
＜たし湯運転、さし湯運転、さし水運転＞
次に、たし湯運転、さし湯運転、さし水運転について、説明する。
たし湯運転は、風呂設定温度の湯水を所定量注湯するものであり、後述する図５の注湯制御と同等であり、説明を省略する。
さし湯運転は、風呂設定温度より高い「さし湯設定温度」の湯水を所定量注湯するものであり、後述する図５の注湯制御（Ｓ５０５）における風呂設定温度をさし湯設定温度に読み替えて実行すればよく、説明を省略する。
さし水運転は、風呂設定温度より低い「さし水設定温度」の湯水を所定量注湯するものであり、後述する図５の注湯制御（Ｓ５０５）における風呂設定温度をさし水設定温度に読み替えて実行すればよく、説明を省略する。
【００９１】
＜注湯制御＞
次に、注湯制御（図２のＳ２０１，Ｓ２０４，Ｓ２１０，Ｓ２１２，Ｓ２１４、図３のＳ３０３，Ｓ３０９参照）について図５から図７を用いて説明する。
【００９２】
ステップＳ５０１において、制御装置５０は、給湯優先判定を行う。給湯優先判定について、図６を用いて更に説明する。
【００９３】
ステップＳ６０１において、制御装置５０は、給湯流量センサ１４で給湯端末１２０への流量（給湯流量）を検知したか否かを判定する。給湯流量を検知した場合（Ｓ６０１・Ｙｅｓ）、制御装置５０の処理はステップＳ６０２に進む。給湯流量を検知していない場合（Ｓ６０１・Ｎｏ）、制御装置５０の処理はステップＳ６０７に進む。
【００９４】
ステップＳ６０２において、制御装置５０は、給湯設定温度と風呂設定温度とが異なっているか否かを判定する。給湯設定温度と風呂設定温度とが異なっている場合（Ｓ６０２・Ｙｅｓ）、制御装置５０の処理はステップＳ６０３に進む。給湯設定温度と風呂設定温度とが異なっていない場合（等しい場合）（Ｓ６０２・Ｎｏ）、制御装置５０の処理はステップＳ６０７に進む。
【００９５】
ステップＳ６０３において、制御装置５０は、注湯電磁弁５が閉弁しているか否かを判定する。注湯電磁弁５が閉弁している場合（Ｓ６０３・Ｙｅｓ）、制御装置５０の処理は、ステップＳ６０１に戻る。注湯電磁弁５が閉弁していない場合（Ｓ６０３・Ｎｏ）、制御装置５０の処理は、ステップＳ６０４に進む。
【００９６】
ちなみに、ステップＳ６０３において、注湯電磁弁５が閉弁している場合（Ｓ６０３・Ｙｅｓ）とは、給湯端末１２０に給湯しているときに湯張り運転が開始された場合（即ち、図５のＳ５０１の給湯優先判定の場合）や、後述するステップＳ６０６で閉弁されステップＳ６０１からステップＳ６０３を繰り返している場合である。また、ステップＳ６０３において、注湯電磁弁５が閉弁していない場合（Ｓ６０３・Ｎｏ）とは、浴槽１００に給湯（湯張り）しているときに給湯端末１２０への給湯が開始された場合（即ち、図５のＳ５０４の給湯優先判定の場合）である。
【００９７】
ステップＳ６０４において、制御装置５０は、流量調整弁４を風呂流量の増加方向へ制御する。
ステップＳ６０５において、制御装置５０は、遮断弁６を閉弁する。
ステップＳ６０６において、制御装置５０は、注湯電磁弁５を閉弁する。制御装置５０の処理はステップＳ６０１に戻る。
【００９８】
ステップＳ６０７において、制御装置５０は、注湯電磁弁５を開弁する。
ステップＳ６０８において、制御装置５０は、遮断弁６を開弁する。そして、給湯優先判定を終了する。
【００９９】
このように、給湯優先判定では、給湯流量を検知し、かつ、給湯設定温度と風呂設定温度とが異なっている場合には、浴槽１００への給湯を停止させて、給湯端末１２０への給湯を優先するようになっている。そして、浴槽１００への給湯が可能となると、注湯電磁弁５と遮断弁６を開弁して、給湯優先判定を終了する。
【０１００】
図５に戻り、ステップＳ５０２において、制御装置５０は、注湯流量センサ１３で浴槽端末１１０への流量（風呂流量）を検知したか否かを判定する。風呂流量を検知した場合（Ｓ５０２・Ｙｅｓ）、制御装置５０の処理はステップＳ５０３に進む。風呂流量を検知していない場合（Ｓ５０２・Ｎｏ）、制御装置５０の処理は風呂流量を検知するまでステップＳ５０２を繰り返す。
【０１０１】
ステップＳ５０３において、制御装置５０は、流量制御を行う。流量制御について、図７を用いて説明する。
【０１０２】
ステップＳ７０１において、制御装置５０は、注湯流量センサ１３で検知した風呂流量が所定流量未満であるか否かを判定する。風呂流量が所定流量未満である場合（Ｓ７０１・Ｙｅｓ）、制御装置５０の処理はステップＳ７０２に進み、制御装置５０は流量調整弁４を風呂流量の増加方向へ制御して、制御装置５０の処理はステップＳ７０１に戻る。
風呂流量が所定流量未満でない場合（Ｓ７０１・Ｎｏ）、制御装置５０の処理はステップＳ７０３に進む。
【０１０３】
ステップＳ７０３において、制御装置５０は、注湯流量センサ１３で検知した風呂流量が所定流量より大きいか否かを判定する。風呂流量が所定流量より大きい場合（Ｓ７０３・Ｙｅｓ）、制御装置５０の処理はステップＳ７０４に進み、制御装置５０は流量調整弁４を風呂流量の減少方向へ制御して、制御装置５０の処理はステップＳ７０１に戻る。
風呂流量が所定流量より大きくない場合（Ｓ７０３・Ｎｏ）、流量制御を終了する。
【０１０４】
図５に戻り、ステップＳ５０４において、制御装置５０は、給湯優先判定（図６参照）を行う。
【０１０５】
ステップＳ５０５において、制御装置５０は、所定温度制御を実施する。具体的には、制御装置５０は、ポンプ３を動作させ、温度センサ１２で検知した温度が風呂設定温度となるように、ポンプ３の回転速度を制御する。
【０１０６】
ステップＳ５０６において、制御装置５０は、所定の注湯量に到達したか否かを判定する。所定の注湯量に到達していない場合（Ｓ５０６・Ｎｏ）、制御装置５０の処理はステップＳ５０２に戻り、所定の注湯量に到達するまでステップＳ５０２からステップＳ５０６を繰り返す。
所定の注湯量に到達した場合（Ｓ５０６・Ｙｅｓ）、制御装置５０の処理はステップＳ５０７に進む。
【０１０７】
ステップＳ５０７において、制御装置５０は、遮断弁６を閉弁する。
ステップＳ５０８において、制御装置５０は、注湯電磁弁５を閉弁し、注湯制御を終了する。なお、ポンプ３は、注湯流量センサ１３で検知した流量および給湯流量センサ１４で検知した流量がゼロとなると停止するようになっている。
【０１０８】
＜浴槽内残水確認＞
次に、浴槽内残水確認（図２の２０２，Ｓ２０５、図３のＳ３０１，Ｓ３０４，Ｓ３１０、図４のＳ４０１参照））について、図８を用いて説明する。
【０１０９】
ステップＳ８０１において、制御装置５０は、風呂循環ポンプ７を動作（ＯＮ）させる。
ステップＳ８０２において、制御装置５０は、遮断弁６を開弁する。
【０１１０】
ステップＳ８０３において、制御装置５０は、浴槽１００内に残水（浴槽水）が有るか否かを判定する。具体的には、制御装置５０は、流量センサ１０で風呂循環回路を循環する流量を検知したか否かを判定する。残水検知有りの場合（Ｓ８０３・Ｙｅｓ）、制御装置５０の処理はステップＳ８０４に進む。残水検知なしの場合（Ｓ８０３・Ｎｏ）、制御装置５０の処理はステップＳ８０５に進む。
【０１１１】
ステップＳ８０４において、制御装置５０は、継続して残水検知有りと判定し、所定時間が経過したか否かを判定する。所定時間が経過していない場合（Ｓ８０４・Ｎｏ）、制御装置５０の処理は、ステップＳ８０３に戻る。所定時間が経過した場合（Ｓ８０４・Ｙｅｓ）、制御装置５０の処理は、ステップＳ８０６に進む。
【０１１２】
ステップＳ８０５において、制御装置５０は、継続して残水検知なしと判定し、所定時間が経過したか否かを判定する。所定時間が経過していない場合（Ｓ８０５・Ｎｏ）、制御装置５０の処理は、ステップＳ８０３に戻る。所定時間が経過した場合（Ｓ８０５・Ｙｅｓ）、制御装置５０の処理は、ステップＳ８０７に進む。
【０１１３】
ステップＳ８０６において、制御装置５０は、浴槽１００内に残水（浴槽水）がある（浴槽内残水有り）と判定する。そして、制御装置５０の処理は、ステップＳ８０８に進む。
【０１１４】
ステップＳ８０７において、制御装置５０は、浴槽１００内に残水（浴槽水）がない（浴槽内残水無し）と判定する。そして、制御装置５０の処理は、ステップＳ８０８に進む。
【０１１５】
ステップＳ８０８において、制御装置５０は、追い焚き運転中であるか否かを判定する。追い焚き運転中である場合（Ｓ８０８・Ｙｅｓ）、制御装置５０の処理は、ステップＳ８０９，Ｓ８１０を省略し、浴槽内残水確認を終了する。追い焚き運転中でない場合（Ｓ８０８・Ｎｏ）、制御装置５０の処理は、ステップＳ８０９に進む。
【０１１６】
ステップＳ８０９において、制御装置５０は、遮断弁６を閉弁する。
ステップＳ８１０において、制御装置５０は、風呂循環ポンプ７を停止（ＯＦＦ）させ、浴槽内残水確認を終了する。
【０１１７】
このように、本実施形態に係る給湯機Ｓは、浴槽１００（浴槽端末１１０）への給湯を終了する際、注湯電磁弁５を閉弁するより前に遮断弁６を閉弁するようになっている（図５のＳ５０７，Ｓ５０８参照）。これにより、配管３６に水がある状態で遮断弁６を閉弁することができ、給湯機Ｓよりも下方に浴槽１００（浴槽端末１１０）を設置する構成であっても、配管３６の残水の落水を防止することができる。
【０１１８】
これにより、配管３６に配設された水位センサ１１により浴槽１００の水位を検出することができる（図２のＳ２１１，Ｓ２１３，Ｓ２１５参照）。また、配管３６に残水があるため、呼水することなく風呂循環ポンプ７により浴槽１００の浴槽水を循環させることができる（図２のＳ２０２，Ｓ２０５、図３のＳ３０４，Ｓ３１０）。
【０１１９】
また、本実施形態に係る給湯機Ｓは、風呂循環回路における浴槽水の循環を終了する際、即ち、追い焚き運転を終了する際や浴槽内残水確認を終了する際、風呂循環ポンプ７を停止させる前に遮断弁６を閉弁するようになっている（図４のＳ４０６，Ｓ４０７、図８のＳ８０９，Ｓ８１０参照）。これにより、配管３６に水がある状態で遮断弁６を閉弁することができ、給湯機Ｓよりも下方に浴槽１００（浴槽端末１１０）を設置する構成であっても、配管３６の残水の落水を防止することができる。
【０１２０】
これにより、配管３６に配設された水位センサ１１により浴槽１００の水位を検出することができる（図３のＳ３０８参照）。また、配管３６に残水があるため、呼水することなく風呂循環ポンプ７により浴槽１００の浴槽水を循環させることができる。
【０１２１】
また、配管３４，３５ｂ内の残水が負圧により落水することを考慮して、風呂循環ポンプ７を動作させる（図８のＳ８０１参照）より前に、注湯電磁弁５を開弁して配管３４，３５ｂに注水し、注湯電磁弁５を閉弁してから、風呂循環ポンプ７を動作させ、遮断弁６を開弁してもよい（図８のＳ８０１，Ｓ８０２参照）。
【０１２２】
これにより、より確実に風呂循環ポンプ７により浴槽水を循環させることができる。また、注湯電磁弁５を開弁している間は、遮断弁６が閉弁されているため、浴槽端末１１０の循環時吸込口側（配管３６と接続される側）から水が浴槽１００内に流入することがないので、使用者に違和感を生じさせることを防止することができる。
【０１２３】
また、湯張り後に、浴槽１００の浴槽水の温度を検出する場合、風呂循環ポンプ７を動作させて浴槽水を配管３６まで引き込んで、温度センサ１２で引き込んだ浴槽水の温度を検出することにより行う。この場合も、風呂循環ポンプ７を動作させ、遮断弁６を開弁して、浴槽水を配管３６まで引き込んで、温度センサ１２で温度を検出した後に、遮断弁６を閉弁した後に風呂循環ポンプ７を停止させる。これにより、配管３６に配設された水位センサ１１により浴槽１００の水位を検出することができる。また、配管３６に残水があるため、呼水することなく風呂循環ポンプ７により浴槽１００の浴槽水を循環させることができる。
【０１２４】
また、本実施形態に係る給湯機Ｓは、湯張り運転中に給湯端末１２０への給湯が要求された場合には、流量調整弁４を風呂流量の増加する方向に制御した後に、遮断弁６、注湯電磁弁５の順番で閉弁するようになっている（図６のＳ６０４からＳ６０６参照）。
湯張り中に給湯端末１２０に給湯すると、風呂流量が低下するため、配管３６内の水が減少するおそれがある。本実施形態に係る給湯機Ｓは、遮断弁６を閉弁する前に流量調整弁４を制御して風呂流量を増加させるので、配管３６に水がある状態で遮断弁６を閉弁することができ、給湯機Ｓよりも下方に浴槽１００（浴槽端末１１０）を設置する構成であっても、配管３６の残水の落水を防止することができる。
【０１２５】
これにより、配管３６に配設された水位センサ１１により浴槽１００の水位を検出することができる。また、配管３６に残水があるため、呼水することなく風呂循環ポンプ７により浴槽１００の浴槽水を循環させることができる。
【０１２６】
≪変形例≫
なお、本実施形態に係る給湯機Ｓは、上記実施形態の構成に限定されるものではなく、発明の趣旨を逸脱しない範囲内で種々の変更が可能である。
【０１２７】
浴槽１００への注湯開始時に、注湯電磁弁５を開弁した後に遮断弁６を開弁する（図Ｓ６０７，Ｓ６０８参照）ものとして説明したが、開弁時はこの順序に限られるものではなく、遮断弁６を開弁した後に注湯電磁弁５を開弁してもよく、注湯電磁弁５と遮断弁６を同時に開弁してもよい。
【０１２８】
風呂循環ポンプ７の動作時に、風呂循環ポンプ７を動作させた後に遮断弁６を開弁するものとして説明したが、これに限られるものではなく、例えば、風呂循環ポンプ７を動作させると同時に遮断弁６を開弁する構成であってもよい。
また、遮断弁６を開弁した後に風呂循環ポンプ７を動作させる構成であってもよいが、遮断弁６を開弁してから風呂循環ポンプ７を動作させるまでの間に負圧により吸気され残水が落水するおそれがあるため、遮断弁６を開弁してから風呂循環ポンプ７を動作させるまでの時間はできるだけ短いことが望ましい。
【０１２９】
本実施形態に係る給湯機Ｓは、熱交換器２によりタンク１内の熱媒体と熱交換することにより水道水を加熱して浴槽端末１１０、給湯端末１２０に供給するものとして説明したが、これに限られるものではない。例えば、タンク１内に水道水を供給して加熱手段（図示せず）により沸き上げして、高温の湯を貯留しておき、タンク１に貯留された湯と水道水を混合して適温水を生成し、それを浴槽端末１１０、給湯端末１２０に供給する構成であってもよい。
【符号の説明】
【０１３０】
Ｓ      給湯機
１      タンク
２      熱交換器（温度制御手段）
３      ポンプ（温度制御手段）
４      流量調整弁（流量制御手段）
５      注湯電磁弁（風呂注湯手段）
６      遮断弁（風呂循環回路開閉手段）
７      風呂循環ポンプ（風呂循環手段）
８      三方弁
９      追い焚き熱交換器（循環加熱手段）
１０    流量センサ
１１    水位センサ（水位検出手段）
１２    温度センサ
１３    注湯流量センサ
１４    給湯流量センサ
１５    給湯温度センサ
５０    制御装置（制御手段）
１００  浴槽
１１０  浴槽端末
１２０  給湯端末
【図１】
2014013123.tif 000004
【図２】
2014013123.tif 000005
【図３】
2014013123.tif 000006
【図４】
2014013123.tif 000007
【図５】
2014013123.tif 000008
【図６】
2014013123.tif 000009
【図７】
2014013123.tif 000010
【図８】
2014013123.tif 000011